(57)【特許請求の範囲】
【請求項１】
撮影機構がユニット化された本体ユニット及びこの本体ユニットに装着される各種の装着ユニットからなり、本体ユニットに対する装着ユニットの装着状態を所定の時間間隔で確認するカメラの制御方法において、
前記装着ユニットの装着状態の確認を行って得られる各装着ユニットの装着の有無に応じて前記所定の時間間隔を変化させることを特徴とするカメラの制御方法。
【請求項２】
前記所定の時間間隔は、所定の前記装着ユニットが装着されている場合に長く、また装着されていない場合に短くなるように変化させることを特徴とする請求項１記載のカメラの制御方法。
【請求項３】
所定の前記装着ユニットが装着されていない場合には、撮影操作を禁止することを特徴とする請求項１または２記載のカメラの制御方法。
【発明の詳細な説明】
【０００１】
【発明の属する技術分野】
本発明は、カメラの制御方法に関し、更に詳しくは、撮影機構の各部がユニット化されているカメラの制御方法に関するものである。
【０００２】
【従来の技術】
ブローニーフイルムを使用する画面サイズの大きなカメラとして、レンズシャッタ式の一眼レフカメラが知られている。この一眼レフカメラは、本体ユニットと、この本体ユニットに装着されるシャッタ内蔵のレンズユニット，フイルムを収納するフイルムホルダ，ウエストレベルファインダや測光機構を備えたＡＥファインダ等の複数の装着ユニットからなり、これらの装着ユニットを適宜に組み合わせて本体ユニットに装着することで様々な条件の撮影に対応することができるシステムカメラとなっている。
【０００３】
上記カメラは、本体ユニットに内蔵した制御回路で装着ユニットの装着状態の確認を行い、装着ユニットの装着を検出したり、装着されている装着ユニットが正常に接続されているか、装着された装着ユニットが撮影可能状態にあるか等を確認している。この確認は、電源がオンされた時の他にも、一定周期のタイマ割り込みによって定期的に行われる。
【０００４】
【発明が解決しようとする課題】
ところで、上記のようなカメラにおいて、タイマ割り込みの発生間隔、すなわち装着状態の確認を実行する時間間隔を長く設定した場合には、装着ユニットを装着してからこの装着ユニットが装着されたことを本体ユニット側が検出するまでに大きな時間的なズレが発生し、撮影をすぐに行うことができないといった問題が発生してしまう。逆に、装着状態の確認の時間間隔を短く設定した場合には、上記のような問題を解決できるものの、装着状態の確認のための装着ユニットと本体ユニットの制御回路と間での信号の入出力が頻繁に行われ電源、例えば電池の電力が無駄に消費されてしまうといった問題が発生する。
【０００５】
本発明は、上記問題点を解決するためのもので、効率的に装着ユニットの装着状態を確認できるようにし、電力の無駄な消費を低減するとともに、装着ユニットが装着されたことを検出する際の時間的なズレを小さくできるカメラの制御方法を提供することを目的とする。
【０００６】
【課題を解決するための手段】
上記問題点を解決するために、請求項１記載のカメラの制御方法では、装着ユニットの装着状態の確認を行って得られる各装着ユニットの装着の有無に応じて装着状態を確認する所定の時間間隔を変化させるものである。また、請求項２記載のカメラの制御方法では、所定の時間間隔は、所定の装着ユニットが装着されている場合に長く、また装着されていない場合に短くなるように変化されるものである。さらに、請求項３記載のカメラの制御方法では、所定の装着ユニットが装着されていない場合には、撮影操作を禁止するようにしたものである。
【０００７】
【発明の実施の形態】
図２は、本発明のレンズシャッタ式一眼レフカメラの外観を示すものである。カメラ２は、本体ユニット３と、この本体ユニット３の背面側に取り付けられるフイルムホルダ４，本体ユニット３の前面側に取り付けられるレンズユニット５，本体ユニット３の上部に取り付けられるＡＥファインダ６，ウエストレベルファインダ（図示省略）等の各種装着ユニットとからなり、装着ユニットを組み合わせて本体ユニット３に装着するシステムカメラとなっている。
【０００８】
本体ユニット３は、内部にミラー機構や制御回路等が組み込まれた箱形状の本体部８と、この本体部８の下部に設けられたピント調節機構９とからなる。カメラ２の側面図及び要部断面図である図３に示すように、本体部８の前面側と背面側とにはそれぞれ開口１０，１１が形成されており、前面側の開口１０とピント調節機構９を構成するレンズボード１２との間には、撮影光路を遮光するベローズ１３が取り付けられている。また、本体部８の背面側に形成された開口１１には、フイルムホルダ４が対面して取り付けられる。
【０００９】
上記レンズボード１２の前面には、レンズユニット５が取り付けられ、レンズボード１２の上部に設けられたロックレバー１５によってロックされる。レンズユニット５は、撮影レンズ１６と、内部に組み込まれた絞り兼用のシャッタ装置１７と、このシャッタ装置１７の作動回数を記憶するシャッタ用のＥＥＰＲＯＭ１８（図５参照）とからなる。シャッタ装置１７は、非撮影時には開放されているため、撮影レンズ１６を通過した被写体光はレンズボード１２とベローズ１３と開口１０とを通過して本体部８内に入射する。
【００１０】
また、レンズユニット５の背面側とレンズボード１２の前面側とには、レンズユニット５のシャッタ装置１７及びＥＥＰＲＯＭ１８と、本体ユニット３内に組み込まれた制御回路とを電気的に接続するための接点部１９，２０が設けられている。レンズボード１２と本体ユニット３との間は、フレキシブルなコード２１によって電気的に接続されている。
【００１１】
本体部８内で、本体部８の背面の開口１１の前方には、開口１１を光密に塞ぐ遮光板２２と、被写体光の光路を変更するミラー２３とを含むミラー機構２４が配置されている。この遮光板２２とミラー２３とは、軸着部２５を回動中心として、開口１１を閉鎖するとともにミラー２３で被写体光を本体部８の上方に向けて反射する閉鎖位置と、図中矢印Ｘ方向に回動して開口１１を開放する開放位置との間で移動自在とされている。非撮影時の遮光板２２とミラー２３は閉鎖位置にあって、フイルムホルダ４内を遮光している。
【００１２】
本体部８の上面には、ピントグラス２６が嵌め込まれており、ミラー２３によって反射された被写体光はピントグラス２６に結像される。本体部８の上面には、ピントグラス２６を上方から見やすくする折り畳み式のウェストレベルファインダや、ピントグラス２６に結像された画像をアイレベルに変換するアングルファインダや、図示するように、自動露出機能を備えたＡＥファインダ６等が撮影条件や用途に合わせて取り付けられる。
【００１３】
ＡＥファインダ６は、ピントグラス２６上に結像された被写体光を屈曲させて正立正像で見られるようにするアングルファインダと同等のファインダ光学系と、ピントグラス２６上に結像された被写体光の輝度を測定する受光素子２７（図５参照）と、この受光素子２７を駆動するとともに、受光素子２７の測光値とレンズユニット５で設定された絞り値、フイルムホルダ４に設定されているフイルム感度とに基づいてシャッタ速度を決定し、本体ユニット３の制御回路に入力するＡＥファインダ制御回路２８（図５参照）等からなる。
【００１４】
ＡＥファインダ６のファインダ光学系には、絞り値やシャッタ速度，選択されている巻上げモード等を表示する表示パネル組み込まれており、ＡＥファインダ６を覗いたまま絞り値やシャッタ速度、巻上げモード等を確認することができる。また、ＡＥファインダ６の下部と本体部８の上面とには、ＡＥファインダ６の制御回路を本体ユニット３内の制御回路に電気的に接続するための接点部２９，３０がそれぞれに設けられている。
【００１５】
なお、ウエストレベルファインダ及びアングルファインダには、ＡＥフィンダ６のような回路が内蔵されておらず、本体ユニット３内の制御回路に電気的に接続するための接点部は設けられていない。
【００１６】
図２に示されるように、本体部８の一方の側面には、シャッタ速度の切り換えとＡＥモードの切り換えとを行うシャッタ速度調節ダイヤル３２，カメラ２の電源のオン・オフとフイルム巻上げのモード切り換えとを行うモード切換ダイヤル３３，本体部８内のミラー２３を強制的に開放位置に揺動させるミラーアップスイッチ３４，レリーズスイッチ３５等が取り付けられた操作パネル３６が設けられている。また、本体部８の上面でピントグラス２６の側方には、撮影可能か否か等のカメラの状態と、電池残量，異常露出等の警告やエラー表示を行う液晶パネル３７が設けられている。この液晶パネル３７には、暗い場所でも表示内容を確認できるようにバックライト３８（図５参照）が組み込まれている。
【００１７】
ピント調節機構９は、本体部８の下面に取り付けられたベース部４０と、このベース部４０から前方に向かって突出された一対のフォーカシングレール４１，４２と、このフォーカシングレール４１，４２に沿って移動自在とされ、上部に前述のレンズボード１２が取り付けられたスライド部４３とからなる。スライド部４３の側方には、スライド部４３をフォーカシングレール４１，４２に沿って移動させる際に操作する操作ノブ４４が回転自在に取り付けられている。この操作ノブ４４には、図示しないピニオンギヤが同軸で取り付けられており、このピニオンギヤは、フォーカシングレール４１，４２の上面に形成されたラックギヤ４５に噛合している。これにより、操作ノブ４４を回転操作するとスライド部４３がフォーカシングレール４１，４２に沿って移動し、本体部８とレンズユニット５との距離を変化させることによりピント調節が行われる。
【００１８】
レンズボード１２は、スライド部４３の上部に取り付けられたフレーム部４７に取り付けられている。このフレーム部４７は、スライド部４３のスライド方向と直交する左右方向でスライド自在であるとともに回動自在とされている。また、レンズボード１２は、フレーム部４７の回動方向に対して直交する上下方向で回動自在となるように、フレーム部４７に取り付けられている。これにより、カメラ２は特別な装置を用いずにアオリ撮影を行うことができる。
【００１９】
図３に示されるように、フイルムホルダ４内には、ブローニーサイズの写真フイルム４９が装填されるフイルム装填室５０と、写真フイルム４９への露光範囲を規定するアパーチャー５１とが設けられている。このアパーチャー５１には、様々なサイズのマスクが取り付けられるようになっており、撮影サイズが適宜変更できる。アパーチャー５１の前方には、本体ユニット３からフイルムホルダ４を取り外す際に、本体ユニット３の開口１１とアパチャー５１との間を遮光する遮光蓋５２が挿入される。この遮光蓋５２は、撮影時にはフイルムホルダ４から抜き取られる。
【００２０】
また、フイルムホルダ４は、本体部８に対して回動自在とされており、カメラ２の位置を変えずにフイルムホルダ４を回転させることで、撮影画面の縦位置と横位置とを切り換えることができる。また、このフイルムホルダ４の回動に連動して、ピントグラス２６の表示範囲も縦横が切り換えられる。
【００２１】
更に、フイルムホルダ４内には、写真フイルム４９の１コマ目をアパーチャーにセットするとともに、撮影ごとに写真フイルム４９を１コマ分巻き上げ、更に、全てのコマへ撮影終了後には写真フイルム４９を全て巻き上げる巻上げ機構５３が組み込まれている。また、本体ユニット３内の制御回路とフイルムホルダ４内の制御回路とを電気的に接続できるように、本体ユニット３の背面側とフイルムホルダ４の前面側とには接点部７１，７２がそれぞれ設けられている。
【００２２】
図４に示すように、フイルムホルダ４の上面には、装填されている写真フイルム４９の各種情報や、カメラ２自体の情報を表示する液晶パネル５４と、この液晶パネル５４に各ユニットのトータルショット数を表示させるトータルショットボタン５５，液晶パネル５４を背後から照明するバックライト５６（図５参照）を作動させるバックライトボタン５７等が設けられた操作パネル５８とが設けられている。
【００２３】
液晶パネル５４には、フイルムホルダ４のアパーチャー５１に取り付けられているマスクのサイズを表すマスクサイズ６０（例えば６ｃｍ×８ｃｍ），装填されている写真フイルム４９の種類（１２０タイプあるいは２２０タイプか）を表すフイルム種６１，写真フイルム４９の感度を表すフイルム感度６２，撮影枚数を表す枚数表示６３と、カメラ２の状態を表すカメラモニタ６４とが表示される。なお、液晶パネル５４に表示される情報は上述したものに限られず、操作パネル５８に設けられたトータルショットボタン５５や、図示しない表示切換えスイッチによって、フイルム感度６２が表示される部分に、各ユニットのトータルショット数や日付，時間，電池残量等が表示される。
【００２４】
カメラモニタ６４は、本体ユニット３を表すマーク６６と、フイルムホルダ４を表すマーク６７と、レンズユニット５を表すマーク６８と、ＡＥファインダ６を表すマーク６９とからなる。これらのマーク６６〜６９は、フイルムホルダ４が本体ユニット３に取り付けられずに単体である際には、マーク６７のみが液晶パネル５４に表示される。
【００２５】
また、フイルムホルダ４に本体ユニット３，レンズユニット５，液晶ユニット６が取り付けられ、それぞれの接点部１９，２０，２９，３０，７１，７２によって各ユニットが電気的に接続されると、液晶パネル５４にフイルムホルダ４を表すマーク６７とともに他のマーク６６，６８，６９が表示される。これにより、本体ユニット３にユニットが取り付けられているにも係わらず液晶ユニット５４にマークが表示されていない場合には、接点部に接触不良が発生していることが分かる。もちろん、ＡＥファインダ６の他のファインダを装着した場合には、ＡＥファインダ６を表すマーク６９は表示されない。
【００２６】
図５は、カメラ２の各ユニットの回路構成を示すブロック図である、本体ユニット３内には、前述した液晶パネル３７，バックライト３８，ミラー機構２４，操作パネル３６の他に、ミラー機構２４を駆動するモータ７５を含むミラー駆動回路７６，ミラー機構２４を構成するギヤ等の回転を検出して遮光板２２及びミラー２３の位置や、遮光板２２及びミラー２３の動作を検出するミラーポジション検出回路７７，ミラー機構２４の作動回数を記憶するＥＥＰＲＯＭ７８，レンズユニット５内に組み込まれたシャッタ装置１７を制御し駆動させるシャッタ駆動回路７９，シャッタ装置１７のシャッタ羽根の位置及び作動、レンズユニット５の開放絞り値等を検出するシャッタポジション検出回路８０，写真フイルム４９に露光された被写体光を測光して露出がオーバーあるいはアンダーかを検出する露出モニタ回路８１が設けられている。
【００２７】
また、本体ユニット３には、上記各回路とレンズユニット５及びＡＥファインダ６内に設けられた回路とを制御する制御回路である本体ＭＰＵ８２が組み込まれている。本体ＭＰＵ８２は、ＣＰＵ，各種の処理のプログラムデータ等が書き込まれたＲＯＭ，作業用メモリや処理に必要なデータを記憶しておくＲＡＭ，、フイルムホルダ４やＡＥファインダ６との通信を行うためのインタフェース回路等を１つにまとめたものである。
【００２８】
フイルムホルダ４には、前述した液晶パネル５４，バックライト５６，操作パネル５８，巻上げ機構５３の他に、巻上げ機構５３を駆動するモータ８４を含む巻上げ駆動回路８５，巻上げ機構５３を構成するギヤ等の回転を検出する巻上げ検出回路８６，巻上げ機構５３の作動回数を記憶するホルダ用ＥＥＰＲＯＭ８７，これらの回路を制御する制御回路であるホルダＭＰＵ８８とが組み込まれている。
【００２９】
本体ユニット３及び、この本体ユニット３に装着された各装着ユニットの各部は、本体部８に内蔵された電池を電源として駆動される。
【００３０】
本体ＭＰＵ８２は、モード切換えスイッチ３３によって電源がオンされた時及び、定期的なタイマ割り込みとによって、接続チェック処理を実行する。接続チェック処理では、各装着ユニットの装着状態を確認するユニットチェックと、シャッタ速度調節ダイヤル３２によって選択されたシャッタ速度，モード切換ダイヤル３３によって選択された巻上げモードの識別を行うスイッチチェックが行われる。ユニットチェックは、ホルダチェック，シャッタチェック，ファインダチェックからなり、本体ユニット３に装着されている装着ユニットの検出や装着ユニットとの通信等が行われ、フイルムホルダ４，レンズユニット５，ＡＥファインダ６の装着の有無や撮影可能な状態にあるか否かの識別等が行われる。
【００３１】
ユニットチェックの結果は、前述のカメラモニタ６４の表示の他に、カメラ２が撮影可能な状態にあるか否か等の判断に用いられる。また、スイッチチェックの結果は、カメラ２の制御に用いられる他、シャッタ速度や巻上げモードの情報はＡＥファインダ６に送信される。
【００３２】
このカメラ２では、前述のようにモード切換えスイッチ３３によって電源がオンされた時及び定期的なタイマ割り込みが発生する毎に接続チェック処理が実行されるが、ユニットチェックは、効率的に装着状態の確認をするために各装着ユニットの装着の有無に応じて、その実行間隔が変えられる。具体的には、前回（Ｎ回目）に実行された接続チェック処理におけるユニットチェックによって、所定の装着ユニットが全て装着されていると識別された場合には、次回（Ｎ＋１回目）に実行される接続チェック処理ではユニットチェックが実行されず、この次のＮ＋２回目の接続チェック処理で再び実行される。また、所定の装着ユニットが１つでも装着されていないと識別された場合には、接続チェック処理が実行される毎にユニットチェックが実行される。なお、スイッチチェックは、接続チェック処理の実行毎に行われる。
【００３３】
すなわち、所定の装着ユニットが全て装着されている場合には、タイマ割り込みが２回の発生する毎に１回のユニットチェックが行われ、所定の装着ユニットが１つでも装着されていない場合には、タイマ割り込みが発生する毎に、その都度ユニットチェックが行われる。
【００３４】
これにより、所定の装着ユニットが１つでも装着されていない場合には、ユニットチェックの間隔を短くして装着ユニットが装着されたこと速やかに検出するようにするとともに、所定の装着ユニットが全て装着されている場合にはユニットチェックの間隔を長くしてその頻度を減らして電力消費を低減している。
【００３５】
前述の所定の装着ユニットとしては、この例では撮影に必要不可欠なフイルムホルダ４及びレンズユニット５とされており、ＡＥファインダ６を含む各種ファインダは、ＡＥファインダ６以外のファインダが装着された場合にこれが装着されているか否かの検出ができないといった理由もあるが、ファインダが装着されていなくても撮影が可能なので除外されている。もちろん、各種のファインダにこれが装着されていることが検出できるような回路及び接点部を設けておいて、所定の装着ユニットにファインダを含めることも可能である。
【００３６】
次に、上記実施形態の作用について説明する。カメラを撮影に供する場合には、本体ユニット３のモード切換えスイッチ３３を操作してカメラ２の電源をオンとする。電源をオンとすると、本体ＭＰＵ８２は、図１に示す接続チェック処理を実行する。
【００３７】
接続チェック処理では、まず、ユニットチェックの実行制御用のチェックカウンタが「１」だけインクリメントされる。チェックカウンタは、電源がオンとされた初期状態では「０」とされているから、このインクリメントにより「１」とされる。次に、本体ＭＰＵ８２は、所定の装着ユニットのうちで接続（装着）されていない装着ユニットがあるか否かを調べる。初期状態では、本体ＭＰＵ８２には装着ユニットの装着の有無を示すデータがクリアされおり、いずれの装着ユニットも装着されていないことを示している。したがって、本体ＭＰＵ８２は、「未接続ユニット有り」と判断して、ユニットチェックを実行する。
【００３８】
ユニットチェックでは、本体ＭＰＵ８２は、最初にシャッタポジション検出回路８０を介してシャッタチェックを行う。接点部２０を介してシャッタ装置１７の開閉状態や開放絞り値を示す信号の検出が試みられ、これらの信号が検出された場合にはレンズユニット５が適切に本体ユニット３に装着されて接続されていると識別する。しかし、これらの信号が得られなけば、レンズユニット５が装着されていないか、あるいは装着されていても接続が正常に行われていないと判断し、レンズユニット５が装着ないものと識別する。
【００３９】
そして、本体ＭＰＵ８２は、レンズユニット５が接続されていると識別した場合には、シャッタポジション検出回路８０から得られた信号に基づいて、レンズユニット５が撮影可能状態にあるか否かを識別する。
【００４０】
シャッタチェック終了後、本体ＭＰＵ８２はホルダチェックを行う。このホルダチェックでは、本体ＭＰＵ８２は、接点部７１を介してホルダＭＰＵ８８との通信を試みる。本体ＭＰＵ８２は、まず通信要求信号を送出する。ホルダＭＰＵ８８は、通信要求信号が入力されると、フイルムホルダ４の各部についての状態に基づいた通信応答信号を返すから、本体ＭＰＵ８２は、通信要求信号に対して一定の時間内にホルダＭＰＵ８８から所定の通信応答信号が戻ってきた場合には、フイルムホルダ４が正常に装着されて接続されていると識別するとともに、通信応答信号に基づいて、フイルムホルダ４が撮影可能状態にあるか否かを識別する。一方、一定の時間内に通信応答信号が戻ってこない場合には、本体ＭＰＵ８２は、フイルムホルダ４が接続されていないと識別する。
【００４１】
続いて、本体ＭＰＵ８２は、接点部３０を介してＡＥファインダ制御回路２８との通信を試みる。そして、この通信で接点部３０からＡＥファインダ制御回路２８が出力する例えばシャッタ速度の信号が得られれば、ＡＥファインダ６が装着され正しく接続されていると識別するが、この信号が得られなければ、ＡＥファインダ６が装着または接続されていないか、その他のファインダが装着されているものと判断する。
【００４２】
上記のようにしてユニットチェックが完了すると、このチェックによって得られた各識別結果が本体ＭＰＵ８２に記憶される。この後、本体ＭＰＵ８２は、スイッチチェックを行って、操作パネル３６で選択されたシャッタ速度，巻上げモードの識別を行い、この識別結果を記憶する。そして、ＡＥファインダ６が装着されている場合には、シャッタ速度や巻上げモードの情報をＡＥファインダ６に送信し、ＡＥファインダ６内にこれらの情報が表示されるようにする。
【００４３】
この後、本体ＭＰＵ８２は、チェックカウンタを「０」にリセットして、この接続チェック処理を終了する。接続チェック終了後に、所定の時間が経過すると、タイマ割り込みが発生するため、本体ＭＰＵ８２は、再び接続チェックを実行する。
【００４４】
この時には、先に実行した接続チェック処理でチェックカウンタが「０」となっているので、今回の接続チェック処理においてチェックカウンタが「１」とされている。次に所定の装着ユニットの未接続の有無が確認されるが、この確認は、前回のユニットチェックを行った時の結果に基づいて行われる。
【００４５】
例えば、前回のユニットチェックが行われたときに、本体ユニット３にフイルムホルダ４とレンズユニット５のいずれか一方でも装着されていない場合には、「未接続ユニット有り」と判断され、上記と同様な手順でユニットチェック及びスイッチチェック等が行われるように処理が継続される。
【００４６】
そして、所定の装着ユニットのいずれか１個でも、例えばレンズユニット５が装着されていない状態が継続すれば、以降、タイマ割り込み処理が発生して接続チェック処理が実行される毎に、「未接続ユニット有り」と判断されるから、その都度ユニットチェックが実行される。
【００４７】
このようにして本体ＭＰＵ８２は、未接続ユニットが有る場合には、タイマ割り込みが発生する毎にユニットチェックを実行するから、電源をオンとした後に未装着であった装着ユニットを装着すると、この装着後の最初に行われる接続チェック処理のユニットチェックにおいて、これらが装着されていることが識別される。これにより、装着ユニットが未装着な状態から装着された状態になったことが速やかに検出される。
【００４８】
そして、フイルムホルダ４，レンズユニット５の両方が装着されていることが検出された接続チェック処理の後に、次の接続チェック処理が本体ＭＰＵ８２によって実行されると、この処理中に「未接続ユニットが無し」と判断されるため、チェックカウンタを調べる判断処理が行われる。この場合には、先の接続チェック処理で「０」とされたチェックカウンタが、今回の接続チェック処理で「１」とされるから、スイッチチェックだけが実行されて処理が終了される。
【００４９】
そして、この接続チェック処理の終了後に、再びタイマ割り込みが発生して、次の接続チェック処理が実行されると、「未接続ユニットが無し」と判断されるものの、チェックカウンタが「２」とされるため、ユニットチェックとスイッチチェックが行われ、この後チェックカウンタが「０」にリセットされてから処理が終了される。以降同様にして、チェックカウンタは、接続チェック処理が実行される毎に、この処理の開始時に「１」及び「２」に交互に変えられるとともに、「未接続ユニットが無し」と判断されるため、チェックカウンタが「２」の場合のときにのみ、ユニットチェックが行われる。
【００５０】
これにより、撮影に必要不可欠なフイルムホルダ４とレンズユニット５との両方が装着されている場合には、ユニットチェックの間隔が未接続ユニットが有る場合と比べて２倍の時間間隔で行われるようになるから、電源として内蔵された電池の電力消費が低減される。もちろん、ユニットチェックが全く実行されないのではないから、フイルムホルダ４，レンズユニット５，ＡＥファインダ６が外されたことや、これらの状態が変化したことを識別できる。
【００５１】
本体ユニット８２は、上記のようにして接続チェックを行い、得られたチェック結果は、撮影動作の可否の判断やカメラモニタ６４の表示に利用される。例えば、フイルムホルダ４とレンズユニット５との両方が装着されていることが確認され、これらと本体ユニット３の各部が撮影可能な状態になっていれば、撮影を許容し、レリーズスイッチ３５が操作されると、カメラ２の各部を作動して撮影を行う。また、フイルムホルダ４，レンズユニット５のいずれか一方でも装着されていない場合や、これらと本体ユニット３の各部が撮影可能な状態になっていない場合には、撮影が禁止されるため、レリーズスイッチ３５が操作されても撮影が行われない。
【００５２】
上記実施形態では、フイルムホルダとレンズユニットとのいずれか一方でもが装着されていない場合には、タイマ割り込み処理が発生する毎にユニットチェックを行い、両方とも装着されている場合には、一方でも装着されていない場合の時間間隔に対して２倍の時間間隔で行うように変化させているが、この時間間隔の変化はこれに限定されない。また、フイルムホルダとレンズユニットとの両方が装着されていない場合と、いずれか一方の装着ユニットが装着されている場合とでもユニットチェックを行う時間間隔を変えるようにしてもよい。さらに、本体ユニットに装着されたフイルムホルダ，レンズユニットが撮影可能な状態になっていない場合も、未装着ユニットありと判断するようにしてもよい。
【００５３】
また、上記実施形態では、レンズシャッタ式の一眼レフカメラを例に説明したが、本発明はこれに限らず、カメラボディにシャッタが組み込まれ、撮影レンズが交換可能なカメラ等にも利用することができる。
【００５４】
【発明の効果】
以上説明したように、本発明によれば、本体ユニットに対して装着される装着ユニットの装着状態を確認する際に、装着ユニットの装着状態の確認を行って得られる各装着ユニットの装着の有無に応じて確認する時間間隔を変化させるようにしたから、効率的に装着状態を確認することができるようになり、例えば、時間間隔を所定の装着ユニットが装着されている場合に長く、また装着されていない場合に短くなるように変化されば、装着ユニットの電力の無駄の消費を低減するとともに、装着ユニットが装着されたことを検出する際の時間的なズレを小さくできる。
【図面の簡単な説明】
【図１】装着ユニットをの装着状態を確認するための接続チェック処理の手順を示すフローチャートである。
【図２】カメラの外観を示す斜視図である。
【図３】カメラの側面及び要部断面図である。
【図４】フイルムホルダの液晶パネルの表示内容を示す説明図である。
【図５】カメラの電気的構成を示すブロック図である。
【符号の説明】
２  カメラ
３  本体ユニット
４  フイルムホルダ
５  レンズユニット
６  ＡＥファインダ
１７  シャッタ装置
２４  ミラー機構
４９  写真フイルム
５３  フイルム巻上げ機構
５４  液晶パネル
８２  本体ＭＰＵ
８８  ホルダＭＰＵ
【図１】
0003670475.tif 000002
【図２】
0003670475.tif 000003
【図３】
0003670475.tif 000004
【図４】
0003670475.tif 000005
【図５】
0003670475.tif 000006